【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
メディカル・ボディ・エリア・ネットワーク（MBAN）の１つ以上のデバイスに関連付けられるMBANのコーディネータであって、
前記コーディネータと交替する１つ以上の候補コーディネータを識別し、
候補コーディネータが前記コーディネータと交替するための１つ以上の切り替え問い合わせ要求を送信し、
所定の期間に前記候補コーディネータから１つ以上の切り替え問い合わせ応答を受信し、
前記識別された候補コーディネータの１つを、宛先コーディネータとして選択し、
前記選択された宛先コーディネータに対して前記コーディネータと交替して前記要求において識別された前記デバイスのためのリソースを割り当てるように要求し、
前記選択された宛先コーディネータから前記要求の受領及び前記デバイスのための前記割り当てられたリソースを識別するデータを受信し、
前記デバイスに対して、前記割り当てられたリソースを使用して前記選択された宛先コーディネータと関連付けるように命令し、
前記コーディネータが動作することを許可された各チャネルで候補コーディネータが前記コーディネータと交替するための切り替え問い合わせ要求を送信することと、所定の期間に前記コーディネータが動作することを許可されたチャネルで前記候補コーディネータから前記切り替え問い合わせ応答を受信することとのうち少なくとも１つを行うように構成されたコントローラを有し、
前記切り替え問い合わせ要求は、前記コーディネータに関連付けられたデバイスの数を識別するデータと、患者識別子及びサービス識別子のうち少なくとも１つを含む認証データとを含むコーディネータ。
【請求項２】
前記コントローラは、
現在の機能レベルを維持するための前記コーディネータの能力を制限するコーディネータの状態の変化に応じて、前記コーディネータと交替する前記候補コーディネータを識別するように更に構成される、請求項１に記載のコーディネータ。
【請求項３】
前記コントローラは、
前記コーディネータが動作することを許可された各チャネルで候補コーディネータが前記コーディネータと交替するための切り替え問い合わせ要求を送信し、
所定の期間に前記コーディネータが動作することを許可されたチャネルで前記候補コーディネータから前記切り替え問い合わせ応答を受信するように更に構成される、請求項１又は２に記載のコーディネータ。
【請求項４】
前記切り替え問い合わせ要求は、前記コーディネータに関連付けられたデバイスの数を識別するデータと、患者識別子及びサービス識別子のうち少なくとも１つを含む認証データとを含む、請求項１に記載のコーディネータ。
【請求項５】
前記割り当てられたリソースは、前記コーディネータと交替する要求で識別された前記デバイスのアドレスである、請求項１ないし４のうちいずれか１項に記載のコーディネータ。
【請求項６】
前記MBANは、要求及び応答メッセージのフォーマットにおいてIEEE802.15.4j及びIEEE802.15.6のうち１つを使用し、切り替え応答メッセージは、それぞれ割り当てられたデバイスのショートアドレスを有する１つ以上のメッセージを含む、請求項１ないし５のうちいずれか１項に記載のコーディネータ。
【請求項７】
前記宛先コーディネータが前記デバイスと通信するために必要な前記リソースは、前記デバイスが前記宛先コーディネータに関連付ける前に割り当てられ、前記要求は、各デバイスの機能情報を含む、請求項１ないし６のうちいずれか１項に記載のコーディネータ。
【請求項８】
前記デバイスは、前記切り替え問い合わせ要求において識別された患者の生理パラメータを測定するセンサデバイスである、請求項１ないし７のうちいずれか１項に記載のコーディネータ。
【請求項９】
前記コントローラは、
前記MBANで前記センサデバイスから測定された生理パラメータの生理データを受信し、
前記受信した生理データを、前記生理データをリアルタイムで分析する第２の通信ネットワーク上の患者監視システムに中継するように更に構成される、請求項８に記載のコーディネータ。
【請求項１０】
メディカル・ボディ・エリア・ネットワーク（MBAN）のコーディネータと交替する１つ以上の候補コーディネータを識別するステップであり、前記コーディネータは、前記MBANの１つ以上のデバイスに関連付けられるステップと、
前記コーディネータが動作することを許可された各チャネルで前記識別された候補コーディネータの１つが前記コーディネータと交替するための切り替え問い合わせ要求を送信するステップと、
所定の期間に前記コーディネータが動作することを許可されたチャネルで前記候補コーディネータのうち少なくとも１つから切り替え問い合わせ応答を受信するステップと、
前記識別された候補コーディネータの１つを宛先コーディネータとして選択するステップと、
宛先コーディネータに対して前記コーディネータと交替して前記要求において識別された前記デバイスのためのリソースを割り当てるように要求するステップと、
前記宛先コーディネータから前記要求の受領及び前記デバイスのための前記割り当てられたリソースを識別するデータを受信するステップと、
前記デバイスに対して前記割り当てられたリソースを使用して前記宛先コーディネータと関連付けるように命令するステップと
を有するコーディネータ切り替え方法。
【請求項１１】
現在の機能レベルを維持するための前記コーディネータの能力を制限するコーディネータの状態の変化に応じて、前記コーディネータと交替する前記候補コーディネータを識別するステップを更に有する、請求項１０に記載のコーディネータ切り替え方法。
【請求項１２】
前記デバイスは、前記コーディネータと交替する要求で識別された患者の生理パラメータを測定するセンサデバイスである、請求項１０に記載のコーディネータ切り替え方法。
【請求項１３】
前記MBANで前記センサデバイスから前記測定された生理パラメータの生理データを受信するステップと、
前記受信した生理データを、前記生理データをリアルタイムで分析する第２の通信ネットワーク上の患者監視システムに中継するステップと
を更に有する、請求項１２に記載のコーディネータ切り替え方法。
【請求項１４】
請求項１０ないし１３のうちいずれか１項に記載の方法を実行するように構成された少なくとも１つのコントローラ。
【請求項１５】
コントローラを有する候補コーディネータであって、
前記コントローラは、
メディカル・ボディ・エリア・ネットワーク（MBAN）のコントローラからコーディネータ切り替え問い合わせを受信し、ただし、前記コーディネータは、前記MBANの１つ以上のデバイスに関連付けられ、
前記コーディネータが動作することを許可された各チャネルで識別された候補コーディネータの１つが前記コーディネータと交替するための切り替え問い合わせ要求を送信し、
所定の期間に前記コーディネータが動作することを許可されたチャネルで前記候補コーディネータのうち少なくとも１つから切り替え問い合わせ応答を受信し、
前記コーディネータを前記コーディネータに切り替える意志を示すコーディネータ切り替え問い合わせへの応答を送信し、
前記コーディネータと交替する要求を受信し、ただし、前記要求は、前記デバイスを識別し、
前記識別されたデバイスのためのリソースを割り当て、
前記要求を受け付ける応答を前記コーディネータに送信し、ただし、前記応答は、前記デバイスのための前記割り当てられたリソースを識別するデータを含み、
前記割り当てられたリソースを使用して前記デバイスからデータを受信するように構成され、
前記切り替え問い合わせ要求は、前記コーディネータに関連付けられたデバイスの数を識別するデータと、患者識別子及びサービス識別子のうち少なくとも１つを含む認証データとを含む候補コーディネータ。
【請求項１６】
前記デバイスは、患者の生理パラメータを測定するセンサデバイスである、請求項１５に記載の候補コーディネータ。
【請求項１７】
前記コントローラは、
前記MBANで前記センサデバイスから前記測定された生理パラメータの生理データを受信し、
前記受信した生理データを、前記生理データをリアルタイムで分析する第２の通信ネットワーク上の患者監視システムに中継するように更に構成される、請求項１６に記載の候補コーディネータ。
【請求項１８】
患者の少なくとも１つの生理パラメータを測定するように構成された少なくとも１つのセンサデバイスと、
患者監視システムと、
前記少なくとも１つのセンサデバイス及び前記患者監視システムに接続するように構成された通信ネットワークと、
請求項１５ないし１７のうちいずれか１項に記載の候補コーディネータと
を有するメディカル・ボディ・エリア・ネットワーク（MBAN）医療システム。